(57)【要約】【課題】ヘルメットに通気口を設けて自然換気によって内部の湿気を軽減させる。【解決手段】ヘルメットの頂上部に円形状の開口部２を設け、該開口部２の強度劣化による補強をするため縁廻りに立上り部３をヘルメット本体と一体化して設け、前記開口部２の上から被って、飛来落下物等を保護するためのキャップ４を立上り部３に装着して固定し、立上り部３の上端外周部に複数の通気口５を設けた通気口付き保安用ヘルメット。その通気口に於いて、キャップ４の天板９の下面外周部に、仕切りプレート６を複数規則的に付けた通気口とする。【選択図】  図３
2004232181.tif 000002
【特許請求の範囲】
【請求項１】
ヘルメットの頂上部に円形状の開口部２を設け、該開口部２の強度劣化による補強をするため縁廻りに立立部３をヘルメット本体と一体化して設け、前記開口部２の上から被って飛来落下物等を保護するためのキャップ４を立上り部３に装着して固定し、立上り部３の上端外周部に複数の通気口５を設けた通気口付き保安用ヘルメット。
【請求項２】
通気口５に於いて、キャップ４の天板９の下面外周部に仕切りプレート６を複数規則的に付けた通気口。
【請求項３】
通気口５に於いて、立上り部３の幅を大きくし上部を規則的に複数切除し、その突起部を仕切りプレート６とした通気口
【発明の詳細な説明】
【０００１】
【発明の属する技術分野】
本発明は、保安用ヘルメットに関する。
【０００２】
【従来の技術】
一般に使用されている保安用ヘルメットに於いて、通気口付きのものはほとんど見受けられない。その理由として通気口による欠損が生じるため、その強度劣化の問題や、コスト面がその原因と思われる。
【０００３】
特開２００１−８９９２５（発明の名称：通気装置付き保安用ヘルメット）があるが、問題点として（１）ヘルメット頂部に複数の通気孔を穿ってその上部に軟質遮光樹脂材にて被っているだけであり、飛来落下物が軟質遮光樹脂材を貫通しし通気孔から浸入するという想定は十分考えられ、よって安全上重大な問題である。（２）円形パイプはヘルメットに固定され、屋根板は円形パイプ上部に強力ボンド接着剤にて固定されるので屋根裏にチリ、ゴミ等が溜りやすく掃除が出来いため衛生上問題である。（３）円形パイプ上部はフランジとなっているため、安全ネット等に引掛りやすい形状であり安全面上問題となる。（４）換気するのに２ヶ処の通気孔を通過するので効率が悪い。等がある。
【０００４】
実開平７−２４９３７（発明の名称：通風式ヘルメット）があるが、問題点として通気口部から飛来落下物が浸入する恐れが多分にあり安全上重大な問題となる。
【０００５】
特開平７−３５１２（発明の名称：送風帽子）があるが、問題点として製造コストが高くなる。ソーラーパネルが飛来落下物等により被壊されやすい等がある。
【０００６】
【発明が解決しようとする課題】
従来の技術の欠点として（１）ヘルメットに通気孔を設けた時、その通気孔から飛来落下物の浸入防止対策を講じていない。（２）通気孔を穿つとヘルメットの強度劣化は避けられないので、その補強対策を講じていない。（３）複雑な構造のためコストアップとなっている。以上３点を改善する必要がある。本発明は以上のような従来の欠点に鑑み実用に即した通気口付き保安用ヘルメットを提供することを目的としている。
【０００７】
本発明の前記ならびにその他の目的と新規な特長は、次の説明を添付図面と照らし合わせて読むとより完全に明らかになるであろう。ただし、図面はもっぱら解説のためのものであって本発明の技術範囲を限定するものではない。
【０００８】
【課題を解決するための手段】
上記の目的を達成するために、（１）ヘルメットの頂上部に円形状の開口部２を設け、該開口部２の強度劣化による補強をするために縁廻りに立上り部３を、ヘルメット本体と一体化して設け、前記開口部２の上から被って、飛来落下物等を保護するためのキャップ４を立上り部３に装着して固定し、立上り部３の上端外周部に複数の通気口５を設けた通気口付き保安用ヘルメット。（２）通気口５に於いてキャップ４の天板９の下面外周部に仕切りプレート６を複数規則的に付けた通気口。（３）通気口５に於いて立上り部３の幅を大きくして上部を規則的に複数切除しその突起部を仕切りプレート６とした通気口の保安用ヘルメットとする。
【０００９】
【発明の実施の形態】
以下、図面に示す実施の形態により本発明を詳細に説明する。
ヘルメット頂上部の円形状の開口部２は、円形とすることにより外力による応力が分散せれやすくなるので円形が好ましい。
【００１０】
立上り部３の機能としては、円形状の開口部２の欠損による強度劣化の補強と、雨水を内部に浸入させない等がありヘルメット本体と一体化することでその効果は高まる。開口部２の補強としてさらに強度を上げるには円形状内に十字形プレートを入れてもよい。この場合のキャップの固定は立上り部３の外側とするか又は、立上り部の上部で固定するタイプとする。
【００１１】
キャップ４のタイプとして（１）立上り部３の内側に装着し通気口付きのもの。（２）立上り部３の外側に装着し通気口付きのもの。（３）立上り部３の上に載せた円形板のもの。の３タイプがある。材質としてはヘルメットと同一材を基本とするがそれ以上の強度のあるものなら可である。固定手段としては、ネジ式や差し込んでツメで引掛ける等があり、立上り部と分解可能とし掃除可とする。
【００１２】
通気口５の高さは大きくすると飛来落下物等の浸入する恐れが生じ保安機能が低下してしまうので、その有効高さ寸法は５ｍｍ〜１ｃｍ程度が好ましい。通気口から雨水を浸入難くするためには、通気口下面を勾配を付けるとよい。
【００１３】
仕切りプレート６は、キャップ４と一体化したものと、立上り部３と一体化したものとがあり、共に天板９の外力を立上り部３に伝達するので、その強度に耐えられる厚さ、形状とする。立上りプレート６の奥行き幅は重要なポイントで、あまり短いと保安機能が低下してしまうので大体が、２ｃｍ程度とし高さと比例する。仕切りプレート６は必要以上に入れると通気機能が低下してしまうので、各仕切りプレート６の中間に補助仕切りプレート７を入れると効果的である。
【００１４】
天板９は、円形状の開口部２の飛来落下物等の浸入防止をするもので、その外周は仕切りプレートと一体化している、各仕切りプレートを延長して天板９の補強プレートと一致させてもよい。
【００１５】
ヘルメットの通気口の位置として、頂上部とする理由として内部の温い空気はヘルメット頂部に集まるのでその位置に設置することは効果的である。又、その形状をスロープ状とすることで安全ネット等に引掛らないものとなる。
【００１６】
【発明の効果】
以上の説明から明らかなように本発明にあっては、次に列挙する効果が得られる。（１）自然換気によって通気機能が効果的に作用するので、ヘルメット内の湿気が大幅に軽減される。（２）立上り部３をヘルメット本体と一体化することで開口部２の欠損による強度劣化が補強される。（３）通気口部に仕切りプレート、及び補助仕切りプレートを複数入れる事で、飛来落下物等の浸入防止となり安全なヘルメットとなる。（４）通気口部分は分解可能であり掃除が簡単に出来るので衛生的である。（５）当通気口付きヘルメットは、立上り部とキャップの２点から成り単純構成なのでコストが安い。（６）頂部の突起部はスロープ状なので引掛らない。
【図面の簡単な説明】
【図１】通気口付き保安ヘルメットの斜視図
【図２】通気口付き保安ヘルメットの断面図
【図３】立上り部の外側に固定したキャップ図
【図４】立上り部の内側に固定したキャップ図
【図５】立上り部の上端を仕切りプレートとした図
【図６】天板補強プレートと仕切りプレートを一体化したキャップ図
【符号の説明】
１〜通気口付きヘルメット．２〜円形状の開口部  ３〜ヘルメット本体と一体化した立上り部．４〜キャップ  ５〜通気口．６〜仕切りプレート．７〜補助仕切りプレート  ８〜円形状の開口部内の十字形補強プレート．９〜キャップの天板
１０〜天板補強プレート  １１〜締め付け固定具．
【図１】
2004232181.tif 000003
【図２】
2004232181.tif 000004
【図３】
2004232181.tif 000005
【図４】
2004232181.tif 000006
【図５】
2004232181.tif 000007
【図６】
2004232181.tif 000008
【手続補正書】
【提出日】平成15年4月7日(2003.4.7)
【手続補正１】
【補正対象書類名】図面
【補正対象項目名】図７
【補正方法】追加
【補正の内容】
【図７】
2004232181.tif 000009
【手続補正２】
【補正対象書類名】明細書
【補正対象項目名】図７
【補正方法】追加
【補正の内容】
【図７】通気口の突起部をスロープ状にした通気口付き保安用ヘルメット